(57)【要約】【課題】野鮎が掛かった後はおとり鮎への拘束力が働くことで、おとり鮎の抵抗を無力化でき、野鮎の取り込みが容易となるような仕掛けを容易に実現する。【解決手段】サカサ鈎型仕掛具１Ａは、鼻カンから掛け鈎側へと延びる鼻カン側ハリスが通される第１通し部２０と、第１通し部２０を通された後の鼻カン側ハリスが、鮎の体に巻かれた後に通される第２通し部３０と、を備える。ここで、第２通し部３０は、鼻カン側ハリスが通される孔部３１と、当該孔部３１の周縁側から当該孔部３１に鼻カン側ハリスを挿入させるための挿入部３２と、を含む。さらに、挿入部３２に関連して、鼻カン側ハリスを挿入部３２に導くための案内部４０が設けられる。【選択図】図１
2018148874.tif 000002
【特許請求の範囲】
【請求項１】
鼻カンおよび掛け鈎とともに鮎を友釣りするための仕掛けを構成する友釣り用の仕掛具であって、
前記鼻カンから前記掛け鈎側へと延びるハリスが通される第１の通し部と、
前記第１の通し部を通された後の前記ハリスが、鮎の体に巻かれた後に通される第２の通し部と、を備え、
前記第２の通し部は、前記ハリスが通される孔部と、当該孔部の周縁側から当該孔部に前記ハリスを挿入させるための挿入部と、を含み、
前記挿入部に関連して、前記ハリスを前記挿入部に導くための案内部が設けられる、
ことを特徴とする友釣り用の仕掛具。
【請求項２】
鮎の体に固定可能な固定部を、さらに備える、
ことを特徴とする請求項１に記載の友釣り用の仕掛具。
【請求項３】
前記固定部は、鮎の体に刺し込み可能なフック状の鈎部を含む、
ことを特徴とする請求項２に記載の友釣り用の仕掛具。
【請求項４】
前記案内部は、前記第１の通し部の孔部が開口する方向と直交する面に対して、交差する方向へ前記挿入部から延び、鮎の体に巻かれた前記ハリスを受ける、
ことを特徴とする請求項３に記載の友釣り用の仕掛具。
【請求項５】
前記固定部は、鮎の体に嵌め込み可能な凹湾曲部を含む、
ことを特徴とする請求項２に記載の友釣り用の仕掛具。
【発明の詳細な説明】
【技術分野】
【０００１】
本発明は、鮎の友釣り用いられる友釣り用の仕掛具に関する。
【背景技術】
【０００２】
従来、鮎の友釣り行うための仕掛けには、サカサ鈎が用いられている。仕掛には、サカサ鈎の他、鼻カン、掛け鈎等が含まれる。おとり鮎の鼻に通された鼻カンから延びるハリス（糸）にサカサ鈎が固定され、サカサ鈎がおとり鮎の尾部の尻びれ付近に引っ掛けられる。これら鼻カンとサカサ鈎とにより、おとり鮎が仕掛けに繋がれる。サカサ鈎には、ハリス止めが鈎本体部と一体または別体に形成される。このハリス止め部に掛け鈎から延びるハリスが固定されることにより、掛け鈎がおとり鮎に装着される。なお、サカサ鈎の一例は、たとえば、鮎釣り用仕掛け具として、特許文献１に開示されている。
【先行技術文献】
【特許文献】
【０００３】
【特許文献１】特開平１１−２５３０８４号公報
【発明の概要】
【発明が解決しようとする課題】
【０００４】
従来のサカサ鈎を用いた仕掛けでは、仕掛けに繋がれたおとり鮎に対する拘束力は強いものではなく、おとり鮎は自由に遊泳することができる。そもそも、強く拘束されていては、おとり鮎の動きが悪くなり、野鮎を挑発する効果も弱まってしまうので、野鮎が掛け鈎に掛かるまでは、おとり鮎は自由に遊泳できることが望ましい。
【０００５】
しかしながら、従来のサカサ鈎を用いた仕掛けでは、野鮎が掛かったあとはサカサ鈎がおとり鮎の体から外れるので、野鮎の抵抗のみならず、おとり鮎の抵抗および水流の負荷も加わる。このため、野鮎とおとり鮎の双方の抵抗をコントロールしながらの取り込みとなる。
【０００６】
このときに様々なリスクが生じ、ときには水中糸切れに見舞われ、おとり鮎、野鮎共々失うことになり得る。
【０００７】
そこで、本発明は、野鮎が掛かった後はおとり鮎への拘束力が働くことで、おとり鮎の抵抗を無力化でき、野鮎の取り込みが容易となるような仕掛けを容易に実現し、このような仕掛けのための友釣り用の仕掛具を提供することを目的とする。
【課題を解決するための手段】
【０００８】
本発明の主たる態様は、鼻カンおよび掛け鈎とともに鮎を友釣りするための仕掛けを構成する友釣り用の仕掛具に関する。本態様に係る友釣り用の仕掛具は、前記鼻カンから前記掛け鈎側へと延びるハリスが通される第１の通し部と、前記第１の通し部を通された後の前記ハリスが、鮎の体に巻かれた後に通される第２の通し部と、を備える。ここで、前記第２の通し部は、前記ハリスが通される孔部と、当該孔部の周縁側から当該孔部に前記ハリスを挿入させるための挿入部と、を含む。さらに、前記挿入部に関連して、前記ハリスを前記挿入部に導くための案内部が設けられる。
【０００９】
上記の構成によれば、おとり鮎の頭部に鼻カンが装着され、鼻カンから延びて第１の通し部に通されたハリスがおとり鮎の体（たとえば、尾部）に巻きつけられた後に第２の通し部に通されることにより、鼻カンと掛け鈎との間に、仕掛具とハリスとによる輪が形成され、この輪によって鮎の体の全周が包囲される。おとり鮎は、鼻カンと輪によって仕掛けに繋がれる。
【００１０】
この際、おとり鮎の体に巻かれた後のハリスを案内部で挿入部へと導き、挿入部を通じて第２の通し部の孔部に挿入することができるので、掛け鈎が繋がれた状態にあるために孔部の開口、即ち正面からは通せないハリスを、第２の通し部に容易に通すことができる。これにより、仕掛具とハリスとによる輪を、おとり鮎の体に簡単に掛けることができる。
【００１１】
おとり鮎が仕掛けに繋がれているだけの状態にあるとき、鼻カンと輪との間のハリスおよび輪はある程度緩んだ状態にあるので、川に入れられたおとり鮎は、自由に遊泳できる。やがて、縄張りに侵入したおとり鮎を追って来た野鮎が掛け鈎に掛かる。野鮎が逃げようとすると、掛け鈎が野鮎に引っ張られて掛け鈎に繋がったハリスが引っ張られる。ハリスは、第１の通し部および第２の通し部において、通された方向に何ら拘束されていないので、輪の後段でハリスが引っ張られると、鼻カンと輪との間のハリスが、緊張した状態、即ち真っ直ぐに引っ張られた状態になるとともに、輪が縮まって、おとり鮎の体が輪で締め付けられた状態となる。これにより、おとり鮎は、緊張したハリスと締め付けられた輪とによって強く拘束された状態となり、その動きが封じられる。よって、掛かった野鮎を取り込む際には、野鮎の抵抗だけがコントロールされればよくなり、野鮎の取り込みが容易となる。
【００１２】
このように、本態様に係る友釣り用の仕掛具によれば、野鮎の取り込みが容易となるような仕掛けを容易に実現することが可能となる。
【００１３】
本態様に係る友釣り用の仕掛具において、鮎の体に固定可能な固定部を、さらに備えるような構成が採られ得る。
【００１４】
上記の構成によれば、ハリスをおとり鮎の体に巻いて第２の通し部に通すときに、固定部によって仕掛具をおとり鮎の体に固定しておくことができるので、おとり鮎の体にハリスと仕掛具による輪を掛ける作業が行いやすくなる。
【００１５】
上記のように固定部が備えられる場合、前記固定部は、鮎の体に刺し込み可能なフック状の鈎部を含むような構成とされ得る。
【００１６】
このような構成とされれば、鮎の体に刺し込まれた鈎部によって仕掛具をおとり鮎の体にしっかりと固定できる。
【００１７】
上記の構成とされた場合、さらに、前記案内部は、前記第１の通し部の孔部が開口する方向と直交する面に対して、交差する方向へ前記挿入部から延び、鮎の体に巻かれた前記ハリスを受けるような構成とされ得る。
【００１８】
このような構成とされれば、仕掛具をおとり鮎の体に鈎部により装着し、ハリスをおとり鮎の体に巻き付けたときに、第１の通し部の孔部がおとり鮎の体の表面に密着するような状態となっても、おとり鮎の体に巻き付けられたハリスを案内部で受けやすくなる。よって、ハリスを一層容易に第２の通し部に通すことができ、仕掛具とハリスによる輪をおとり鮎の体に一層簡単に掛けることができる。
【００１９】
あるいは、上記のように固定部が備えられる場合、前記固定部は、鮎の体に嵌め込み可能な凹湾曲部を含むような構成とされ得る。
【００２０】
このような構成とされれば、凹湾曲部がおとり鮎の体に嵌め込まれるだけなので、おとり鮎の体がダメージを受けにくい。
【発明の効果】
【００２１】
本発明の友釣り用の仕掛具によれば、野鮎が掛かった後はおとり鮎への拘束力が働くことで、おとり鮎の抵抗を無力化でき、野鮎の取り込みが容易となるような仕掛けを容易に実現することが可能となる。
【００２２】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００２３】
【図１】図１は、第１実施形態に係る、サカサ鈎型仕掛具の構成を示す図である。
【図２】図２は、第１実施形態に係る、サカサ鈎型仕掛具が用いられる、鮎の友釣り用の仕掛けの一例を示す図である。
【図３】図３（ａ）ないし（ｄ）は、第１実施形態に係る、おとり鮎を仕掛けに繋ぐ手順について説明するための図である。
【図４】図４（ａ）は、第１実施形態に係る、野鮎が掛け鈎に掛かる前のおとり鮎に繋がれた仕掛けの状態を示す図であり、図４（ｂ）は、第１実施形態に係る、野鮎が掛け鈎に掛かった後のおとり鮎に繋がれた仕掛けの状態を示す図である。
【図５】図５は、第２実施形態に係る、鞍掛型仕掛具の構成を示す図である。
【図６】図６は、第２実施形態に係る、鞍掛型仕掛具が用いられる、鮎の友釣り用の仕掛けの一例を示す図である。
【図７】図７（ａ）ないし（ｃ）は、第２実施形態に係る、おとり鮎を仕掛けに繋ぐ手順について説明するための図である。
【図８】図８（ａ）は、第２実施形態に係る、野鮎が掛け鈎に掛かる前のおとり鮎に繋がれた仕掛けの状態を示す図であり、図８（ｂ）は、第２実施形態に係る、野鮎が掛け鈎に掛かった後のおとり鮎に繋がれた仕掛けの状態を示す図である。
【図９】図９（ａ）および（ｂ）は、変更例に係る、サカサ鈎型仕掛具の構成を示す図である。
【図１０】図１０は、変更例に係る、サカサ鈎型仕掛具をおとり鮎の尾部に装着し、鼻カン側ハリスを尾部に巻き付けた状態を示す図である。
【発明を実施するための形態】
【００２４】
以下、本発明の実施形態について、図面を参照して説明する。
【００２５】
＜第１実施形態＞
まず、本発明の友釣り用の仕掛具の第１実施形態であるサカサ鈎型仕掛具１Ａについて説明する。
【００２６】
図１は、第１実施形態に係る、サカサ鈎型仕掛具１Ａの構成を示す図である。
【００２７】
サカサ鈎型仕掛具１Ａは、鈎部１０と、第１通し部２０と、第２通し部３０と、案内部４０とを含む。サカサ鈎型仕掛具１Ａは、弾性を有する断面円形の金属製の線材、たとえば、番手＃２６〜＃２８のピアノ線（炭素鋼の線材）を、所期の形状に折り曲げ加工することにより、これら鈎部１０、第１通し部２０、第２通し部３０および案内部４０を一体に形成したものである。このように、鈎部１０、第１通し部２０、第２通し部３０および案内部４０が一本の線材によって一体に形成されることにより、サカサ鈎型仕掛具１Ａの製造が容易となる。
【００２８】
鈎部１０は、ほぼＵ字に湾曲する形状（フック状）を有し、その先端部である鈎先部１１が尖っている。
【００２９】
第１通し部２０は、鈎部１０の基端部１２側に設けられ、鈎部１０の鈎先部１１側に張り出す。第１通し部２０は、鈎部１０の基端部１２から連続する線材が、一回りするように曲げ加工されることによりリング状に形成され、円形の孔部２１を有する。孔部２１の大きさは、この孔部２１に通される鼻カン側ハリス（後述する）の径よりも十分に大きいものとされる。孔部２１の周縁は完全に閉鎖されており、鼻カン側ハリスは、孔部２１の開口からしか孔部２１に通すことができず、開口からしか孔部２１から抜けない。
【００３０】
第２通し部３０は、第１通し部２０を挟んで鈎部１０と反対側に設けられる。第２通し部３０は、第１通し部２０から連続する線材が、その始端部３０ａから第１通し部２０に対して離れる方向に延びた後に円弧を描くように折り返され、第１通し部２０に対して近づく方向に延び、その終端部３０ｂが始端部３０ａに接触するような細長いリング状に曲げ加工されることにより形成され、細長い孔部３１を有する。孔部３１の大きさは、この孔部３１に通される鼻カン側ハリス（後述する）の径よりも十分に大きいものとされる。孔部３１の周縁は、始端部３０ａと終端部３０ｂの接触部分で切れた状態となっており、この部分が、孔部３１の周縁側（孔部３１の開口方向と直交する方向）から孔部３１へ鼻カン側ハリスを挿入するための挿入部３２となる。挿入部３２は、通常は閉じており、鼻カン側ハリスが挿入されたときに、鼻カン側ハリスで始端部３０ａと終端部３０ｂの間が拡げられることにより開放する。なお、始端部３０ａと終端部３０ｂと間に僅かな隙間が設けられることにより、最初から挿入部３２が開放されている構成が採られてもよい。
【００３１】
案内部４０は、挿入部３２に関連して設けられ、第２通し部３０の終端部３０ｂ、即ち挿入部３２から第２通し部３０に対して遠ざかるように斜め方向に延びる。案内部４０は、鼻カン側ハリスを挿入部３２へと導くためのものである。案内部４０の先端部４１は、鋭利にならないように、曲げ加工によって丸められた形状とされる。これにより、サカサ鈎型仕掛具１Ａがおとり鮎に固定された状態において、案内部４０の先端部４１がおとり鮎の体に当たるようなことが生じても、おとり鮎の体が傷つきにくい。
【００３２】
なお、案内部４０は、長さが短すぎると鼻カン側ハリスを案内部４０に引っ掛けにくくなり、長さが長すぎると他のものに引っ掛かりやすく邪魔になる。よって、案内部４０の長さは、３ｍｍないし５ｍｍ程度とされることが望ましい。
【００３３】
図２は、第１実施形態に係る、サカサ鈎型仕掛具１Ａが用いられる、鮎の友釣り用の仕掛け１００Ａの一例を示す図である。
【００３４】
仕掛け１００Ａは、サカサ鈎型仕掛具１Ａの他、鼻カン２、ハリス止金具３および掛け鈎４を含む。鼻カン２から延びる鼻カン側ハリス５がハリス止金具３に固定され、掛け鈎４から延びる掛け鈎側ハリス６がハリス止金具３に固定される。鼻カン側ハリス５は、ハリス止金具３から外れないよう接着剤等を用いて強固に固定される。一方、掛け鈎側ハリス６は、ハリス止金具３に挟み込まれた状態で固定され、野鮎を釣り上げる際に作用する程度の力ではハリス止金具３から外れない。
【００３５】
掛け鈎４には、たとえば、図２に示すような、イカリタイプの掛け鈎が用いられ得る。縄張りに進入したおとり鮎を追い払おうとする野鮎が、掛け鈎４に引っ掛かり釣り上げられる。
【００３６】
サカサ鈎型仕掛具１Ａの第１通し部２０に鼻カン側ハリス５が通される。このとき、鼻カン側ハリス５は、第１通し部２０において、通された方向には何ら拘束されない。よって、サカサ鈎型仕掛具１Ａは、鼻カン側ハリス５に沿って自由に移動できる。言い換えれば、鼻カン側ハリス５は、サカサ鈎型仕掛具１Ａに対し、通された方向に自由に動くことができる。
【００３７】
サカサ鈎型仕掛具１Ａは、鼻カン２またはハリス止金具３が鼻カン側ハリス５に固定される前に、鼻カン側ハリス５に通される。上述の通り、鼻カン側ハリス５は、第１通し部２０の孔部２１からは孔部２１の開口を通じてしか抜くことができないので、鼻カン２およびハリス止金具３が鼻カン側ハリス５に固定された後は、サカサ鈎型仕掛具１Ａが鼻カン側ハリス５から外れない。
【００３８】
図３（ａ）ないし（ｄ）は、第１実施形態に係る、おとり鮎を仕掛け１００Ａに繋ぐ手順について説明するための図である。なお、図３（ａ）ないし（ｄ）では、便宜上、掛け鈎４と掛け鈎側ハリス６の図示が省略されているが、実際には、ハリス止金具３、即ち鼻カン側ハリス５に掛け鈎４が繋がっている。
【００３９】
まず、図３（ａ）のように、おとり鮎の頭部、具体的には鼻の孔に、鼻カン２が装着される。次に、図３（ｂ）のように、サカサ鈎型仕掛具１Ａが、おとり鮎の尾部、たとえば、脂びれ付近の部分に固定される。このとき、鈎部１０がおとり鮎の尾部に刺し込まれる。次に、図３（ｃ）のように、第１通し部２０を通された後の鼻カン側ハリス５がおとり鮎の尾部に巻きつけられる。次に、図３（ｄ）のように、尾部に巻きつけられた後の鼻カン側ハリス５が第２通し部３０に通される。このとき、鼻カン側ハリス５は、案内部４０によって挿入部３２へと導かれ、挿入部３２を通じて孔部３１に挿入される。これにより、掛け鈎４が繋がれているために孔部３１の開口からは通すことができない鼻カン側ハリス５を、第２通し部３０に容易に通すことができる。鼻カン側ハリス５は、第２通し部３０において、通された方向には何ら拘束されず、サカサ鈎型仕掛具１Ａに対し、通された方向に自由に動くことができる。
【００４０】
こうして、サカサ鈎型仕掛具１Ａと鼻カン側ハリス５とによる輪が形成され、この輪によって鮎の尾部の全周が包囲される。おとり鮎は、鼻カン２と輪によって仕掛け１００Ａに繋がれた状態となる。なお、おとり鮎の尾部に輪が掛けられた後は、鈎部１０がおとり鮎の尾部から外れても、輪は維持されるので、問題とならない。
【００４１】
図４（ａ）は、第１実施形態に係る、野鮎が掛け鈎４に掛かる前のおとり鮎に繋がれた仕掛け１００Ａの状態を示す図であり、図４（ｂ）は、第１実施形態に係る、野鮎が掛け鈎４に掛かった後のおとり鮎に繋がれた仕掛け１００Ａの状態を示す図である。
【００４２】
図４（ａ）のように、おとり鮎が仕掛け１００Ａに繋がれているだけの状態にあるとき、鼻カン２と輪との間の鼻カン側ハリス５および輪はある程度緩んだ状態にあるので、川に入れられたおとり鮎はかなり自由に遊泳できる。やがて、縄張りに侵入したおとり鮎を追って来た野鮎が掛け鈎４に掛かる。
【００４３】
掛かった野鮎が逃げようとすると、図４（ｂ）のように、掛け鈎４が野鮎に引っ張られ、掛け鈎４に掛け鈎側ハリス６とハリス止金具３とを介して繋がった鼻カン側ハリス５が引っ張られる。鼻カン側ハリス５は、第１通し部２０および第２通し部３０において、通された方向に何ら拘束されていないので、輪の後段で鼻カン側ハリス５が引っ張られると、鼻カン２と輪との間の鼻カン側ハリス５が、緊張した状態、即ち真っ直ぐに張られた状態になるとともに、輪が縮まって、おとり鮎の尾部が輪で締め付けられた状態となる。これにより、おとり鮎は、緊張した鼻カン側ハリス５と締め付けられた輪とによって強く拘束された状態となり、その動きが封じられて棒のようになる。よって、掛かった野鮎を取り込む際には、野鮎の抵抗だけがコントロールされればよくなり、野鮎の取り込みが容易となる。
【００４４】
＜第１実施形態の効果＞
本実施の形態のサカサ鈎型仕掛具１Ａによれば、鼻カン２や掛け鈎４とともに、野鮎の取り込みが容易となるような仕掛け１００Ａを容易に実現することが可能となる。
【００４５】
また、本実施の形態のサカサ鈎型仕掛具１Ａによれば、鼻カン側ハリス５をおとり鮎の尾部に巻いて第２通し部３０に通すときに、鈎部１０によってサカサ鈎型仕掛具１Ａをおとり鮎の尾部に固定しておくことができるので、おとり鮎の尾部にサカサ鈎型仕掛具１Ａと鼻カン側ハリス５による輪を掛ける作業が行いやすくなる。これにより、おとり鮎に仕掛け１００Ａを素早く装着できるようになるので、おとり鮎が弱りにくい。
【００４６】
さらに、本実施の形態のサカサ鈎型仕掛具１Ａによれば、鈎部１０が鮎の尾部に刺し込まれることによって、サカサ鈎型仕掛具１Ａがおとり鮎の体にしっかりと固定される。
【００４７】
＜第２実施形態＞
次に、本発明の友釣り用の仕掛具の第２実施形態である鞍掛型仕掛具１Ｂについて説明する。
【００４８】
図５は、第２実施形態に係る、鞍掛型仕掛具１Ｂの構成を示す図である。
【００４９】
鞍掛型仕掛具１Ｂは、鞍部５０と、第１通し部６０と、第２通し部７０と、案内部８０とを含む。鞍掛型仕掛具１Ｂは、弾性を有する断面円形の金属製の線材、たとえば、番手＃２６〜＃２８のピアノ線（炭素鋼の線材）を、所期の形状に折り曲げ加工することにより、これら鞍部５０、第１通し部６０、第２通し部７０および案内部８０を一体に形成したものである。このように、鞍部５０、第１通し部６０、第２通し部７０および案内部８０が一本の線材によって一体に形成されることにより、鞍掛型仕掛具１Ｂの製造が容易となる。
【００５０】
鞍部５０は、線材が曲げ加工されることにより、五角形に近い凹湾曲形状に形成され、ほぼ逆Ｖ字状の第１部材５１と、第１部材５１の一端から下方に延びる第２部材５２と、第１部材５１の他端から下方に延びる第３部材５３とを含む。第２部材５２と第３部材５３との間隔は、下方、即ち鞍部５０の開口側に向かうに従って狭くなっている。第２部材５２の先端部５２ａは、鋭利にならないように、曲げ加工によって丸められた形状とされる。これにより、鞍部５０がおとり鮎の体に嵌め込まれたときに、第２部材５２の先端部５２ａでおとり鮎の体が傷つきにくい。第３部材５３は、第２通し部７０の一部として共用される。なお、鞍部５０は、凹湾曲形状であれば、図５のような形状でなくともよく、たとえば、ほぼ逆Ｕ字形状であってもよい。
【００５１】
第１通し部６０は、鞍部５０の第２部材５２の下部に設けられ、鞍部５０の外側に張り出す。第１通し部６０は、上記第１実施形態の第１通し部２０と同様な構成とされ、第２部材５２を構成する線材が、一回りするように曲げ加工されることによりリング状に形成され、円形の孔部６１を有する。孔部６１の大きさは、この孔部６１に通される鼻カン側ハリス５の径よりも十分に大きいものとされる。孔部６１の周縁は完全に閉鎖されており、鼻カン側ハリス５は、孔部６１の開口からしか孔部６１に通すことができず、開口からしか孔部６１から抜けない。
【００５２】
第２通し部７０は、第１通し部６０と反対側に設けられる。第２通し部７０は、上記第１実施形態の第２通し部３０と同様な構成とされ、細長いリング状に形成され、細長い孔部７１と、孔部７１の周縁側（側方）から孔部７１へ鼻カン側ハリス５を挿入するための挿入部７２とを有する。孔部７１の大きさは、この孔部７１に通される鼻カン側ハリス５の径よりも十分に大きいものとされる。挿入部７２も、上記第１実施形態の挿入部３２と同様、通常は閉じており、鼻カン側ハリス５が挿入されたときに開放するが、最初から開放されている構成であってもよい。
【００５３】
案内部８０は、上記第１実施形態の案内部４０と同様な構成とされ、挿入部７２から第２通し部７０に対して遠ざかるように斜め方向に延び、その先端部８１が、鋭利にならないように、曲げ加工によって丸められた形状とされる。案内部８０の長さも、上記第１実施形態の案内部４０と同様、３ｍｍないし５ｍｍ程度とされることが望ましい。
【００５４】
図６は、第２実施形態に係る、鞍掛型仕掛具１Ｂが用いられる、鮎の友釣り用の仕掛け１００Ｂの一例を示す図である。
【００５５】
仕掛け１００Ｂは、上記第１実施形態の仕掛け１００Ａのサカサ鈎型仕掛具１Ａに替えて鞍掛型仕掛具１Ｂが用いられたものである。
【００５６】
鞍掛型仕掛具１Ｂの第１通し部６０に鼻カン側ハリス５が通される。このとき、鼻カン側ハリス５は、第１通し部６０において、通された方向には何ら拘束されず、鞍掛型仕掛具１Ｂに対し、通された方向に自由に動くことができる。また、鞍掛型仕掛具１Ｂは、鼻カン２またはハリス止金具３が鼻カン側ハリス５に固定される前に鼻カン側ハリス５に通され、鼻カン２およびハリス止金具３が鼻カン側ハリス５に固定された後は鼻カン側ハリス５から外れない。
【００５７】
図７（ａ）ないし（ｃ）は、第２実施形態に係る、おとり鮎を仕掛け１００Ｂに繋ぐ手順について説明するための図である。なお、図７（ａ）ないし（ｃ）では、便宜上、掛け鈎４と掛け鈎側ハリス６の図示が省略されているが、実際には、ハリス止金具３、即ち鼻カン側ハリス５に掛け鈎４が繋がっている。
【００５８】
おとり鮎の頭部に鼻カン２が装着され後、図７（ａ）のように、鞍掛型仕掛具１Ｂが、おとり鮎の尾部、たとえば、脂びれ付近の部分に固定される。このとき、鞍部５０がおとり鮎の尾部に嵌め込まれる。上述の通り、鞍部５０は、その開口側に向かうに従って幅が狭くなっているため、開口側が押し拡げられた状態となっており、戻ろうとする力によっておとり鮎がしっかりと挟み込まれる。
【００５９】
次に、図７（ｂ）のように、第１通し部６０を通された後の鼻カン側ハリス５がおとり鮎の尾部に巻きつけられる。次に、図７（ｃ）のように、尾部に巻きつけた後の鼻カン側ハリス５が第２通し部７０に通される。このとき、鼻カン側ハリス５は、案内部８０によって挿入部７２へと導かれ、挿入部７２を通じて孔部７１に挿入される。これにより、掛け鈎４が繋がれているために孔部７１の開口からは通すことができない鼻カン側ハリス５を、第２通し部７０に容易に通すことができる。鼻カン側ハリス５は、第２通し部７０において、通された方向には何ら拘束されず、鞍掛型仕掛具１Ｂに対し、通された方向に自由に動くことができる。
【００６０】
こうして、鞍掛型仕掛具１Ｂと鼻カン側ハリス５とによる輪が形成され、この輪によって鮎の尾部の全周が包囲される。おとり鮎は、鼻カン２と輪によって仕掛け１００Ｂに繋がれた状態となる。なお、おとり鮎の尾部に輪が掛けられた後は、鞍部５０がおとり鮎の尾部から外れても、輪は維持されるので、問題とならない。
【００６１】
図８（ａ）は、第２実施形態に係る、野鮎が掛け鈎４に掛かる前のおとり鮎に繋がれた仕掛け１００Ｂの状態を示す図であり、図８（ｂ）は、第２実施形態に係る、野鮎が掛け鈎４に掛かった後のおとり鮎に繋がれた仕掛け１００Ｂの状態を示す図である。
【００６２】
図８（ａ）のように、おとり鮎が仕掛け１００Ｂに繋がれているだけの状態にあるとき、鼻カン２と輪との間の鼻カン側ハリス５および輪はある程度緩んだ状態にあり、おとり鮎はかなり自由に遊泳できる。一方、掛け鈎４に野鮎が掛かり、掛かった野鮎が逃げようとすると、図８（ｂ）のように、掛け鈎４が野鮎に引っ張られて鼻カン側ハリス５が引っ張られる。すると、鼻カン２と輪との間の鼻カン側ハリス５が、緊張した状態、即ち真っ直ぐに張られた状態になるとともに、輪が縮まって、おとり鮎の体が輪で締め付けられた状態となる。これにより、おとり鮎は、緊張した鼻カン側ハリス５と締め付けられた輪とによって強く拘束された状態となり、その動きが封じられて棒のようになる。よって、掛かった野鮎を取り込む際には、野鮎の抵抗だけがコントロールされればよくなり、野鮎の取り込みが容易となる。
【００６３】
＜第２実施形態の効果＞
本実施の形態の鞍掛型仕掛具１Ｂによれば、鼻カン２や掛け鈎４とともに、野鮎の取り込みが容易となるような仕掛け１００Ｂを容易に実現することが可能となる。
【００６４】
また、本実施の形態の鞍掛型仕掛具１Ｂによれば、鼻カン側ハリス５をおとり鮎の尾部に巻いて第２通し部７０に通すときに、鞍部５０によって鞍掛型仕掛具１Ｂをおとり鮎の尾部に固定しておくことができるので、おとり鮎の尾部に鞍掛型仕掛具１Ｂと鼻カン側ハリス５による輪を掛ける作業が行いやすくなる。これにより、おとり鮎に仕掛け１００Ｂを素早く装着できるようになるので、おとり鮎が弱りにくい。
【００６５】
さらに、本実施の形態の鞍掛型仕掛具１Ｂによれば、鞍部５０がおとり鮎の体に嵌め込まれるだけなので、おとり鮎の体がダメージを受けにくい。
【００６６】
＜変更例＞
以上、本発明の実施の形態について説明したが、本発明は、上記実施の形態等によって何ら制限されるものではなく、また、本発明の実施の形態も、上記以外に種々の変更が可能である。
【００６７】
上記第１実施形態において、第１通し部２０の孔部２１および第２通し部３０の孔部３１は、鼻カン側ハリス５を通すことができれば、如何なる形状であってもよい。同様に、上記第２実施形態において、第１通し部６０の孔部６１および第２通し部７０の孔部７１も、鼻カン側ハリス５を通すことができれば、如何なる形状であってもよい。
【００６８】
また、上記第１実施形態において、案内部４０は、鼻カン側ハリス５を第２通し部３０の挿入部３２に導くことができれば、如何なる形状であってもよい。同様に、上記第２実施形態において、案内部８０も、鼻カン側ハリス５を第２通し部７０の挿入部７２に導くことができれば、如何なる形状であってもよい。
【００６９】
さらに、上記第１実施形態および上記第２実施形態では、サカサ鈎型仕掛具１Ａと鼻カン側ハリス５とによる輪および鞍掛型仕掛具１Ｂと鼻カン側ハリス５とによる輪が、おとり鮎の尾部に掛けられたが、おとり鮎の胴部における尾部に近い部分、たとえば、尻びれよりも少し前側の部分に掛けられてもよい。
【００７０】
さらに、上記第２実施形態において、おとり鮎のサイズが大きく異なっても対応できるよう、鞍部５０の大きさが異なる複数種類の鞍掛型仕掛具１Ｂを製造することもできる。
【００７１】
さらに、上記第１実施形態のサカサ鈎型仕掛具１Ａを図９に示すような構成に変更することができる。図９（ａ）および（ｂ）は、変更例に係る、サカサ鈎型仕掛具１Ｃの構成を示す図であり、図９（ａ）は側面図、図９（ｂ）は正面図である。
【００７２】
本変更例のサカサ鈎型仕掛具１Ｃは、案内部４０の向きが上記第１実施形態のサカサ鈎型仕掛具１Ａと異なる。即ち、サカサ鈎型仕掛具１Ｃでは、図示の通り、案内部４０が第１通し部２０の孔部２１が開口する方向Ｐと直交する面Ｄに対して、交差する方向、たとえば、ほぼ直交する方向に挿入部３２から延び出す。なお、上記第１実施形態のサカサ鈎型仕掛具１Ａは、案内部４０が、直交する面Ｄに対して平行な方向に延び出すものとされた。
【００７３】
図１０は、変更例に係る、サカサ鈎型仕掛具１Ｃをおとり鮎の尾部に装着し、鼻カン側ハリス５を尾部に巻き付けた状態を示す図である。なお、図１０では、おとり鮎の尾部が断面で示されている。
【００７４】
図１０に示すように、サカサ鈎型仕掛具１Ｃをおとり鮎の尾部に鈎部１０により装着し、鼻カン側ハリス５を尾部に巻き付けたとき、第１通し部２０は、白抜き矢印に示すように、鼻カン側ハリス５の輪の内側に引かれるため、第１通し部２０の孔部２１が、尾部（鮎の体）の表面に密着する状態となりやすい。このような状態となった場合、本変更例の構成では、図示のように、案内部４０がおとり鮎の尾部からは離れる方向に延び出す状態となるため、おとり鮎の尾部に巻き付けられた鼻カン側ハリス５を案内部４０で受けやすくなる。よって、鼻カン側ハリス５を一層容易に第２通し部３０に通すことができ、サカサ鈎型仕掛具１Ｃと鼻カン側ハリス５による輪をおとり鮎の体に一層簡単に掛けることができる。
【００７５】
なお、本変更例のサカサ鈎型仕掛具１Ｃにおいて、案内部４０は、サカサ鈎型仕掛具１Ｃを正面から見たときに、図９（ｂ）のように第１通し部２０および第２通し部３０に対して右方向へ延び出すのではなく、第１通し部２０および第２通し部３０に対して左方向に延び出すような構成とされてもよい。この場合、たとえば、サカサ鈎型仕掛具１Ｃが、おとり鮎の尾部において、図１０に示す側とは反対側に装着され、鼻カンハリス５が巻かれる方向が反対方向とされる。
【００７６】
この他、本発明の実施の形態は、特許請求の範囲に示された技術的思想の範囲内において、適宜、種々の変更が可能である。
【符号の説明】
【００７７】
１Ａ  サカサ鈎型仕掛具（友釣り用の仕掛け具）
１Ｂ  鞍掛型仕掛具（友釣り用の仕掛け具）
２  鼻カン
４  掛け鈎
５鼻カン側ハリス（ハリス）
１０  鈎部（固定部）
２０  第１通し部（第１の通し部）
３０  第２通し部（第２の通し部）
３１  孔部
３２  挿入部
４０  案内部
５０  鞍部（凹湾曲部、固定部）
６０  第１通し部（第１の通し部）
７０  第２通し部（第２の通し部）
７１  孔部
７２  挿入部
８０  案内部
【図１】
2018148874.tif 000003
【図２】
2018148874.tif 000004
【図３】
2018148874.tif 000005
【図４】
2018148874.tif 000006
【図５】
2018148874.tif 000007
【図６】
2018148874.tif 000008
【図７】
2018148874.tif 000009
【図８】
2018148874.tif 000010
【図９】
2018148874.tif 000011
【図１０】
2018148874.tif 000012